(57)【要約】  電子デバイスが開示され、主ディスプレイは、装置が閉じた蓋の位置にあるときでさえ使用され得る。いくつかの実施形態では、蓋が閉じられたときにディスプレイの一部が見られ得るように、窓部（ディスプレイ部分開口部）がデバイスのハウジングに設けられ得る。
2013524320.tif 000002
【特許請求の範囲】
【請求項１】
ディスプレイを有する第１の部分と、
前記第１の部分に機械的に結合された第２の部分であって、前記第１の部分および前記第２の部分が閉じた位置にあるとき、前記ディスプレイの一部を見ることを可能にするディスプレイ部分開口部を有する第２の部分と、を有する、
電子デバイス。
【請求項２】
前記第１および前記第２の部分は、ポータブルパーソナルコンピュータを規定する、
請求項１に記載の電子デバイス。
【請求項３】
前記ポータブルパーソナルコンピュータはノートブックコンピュータである、
請求項２に記載の電子デバイス。
【請求項４】
前記第１および前記第２の部分は、携帯電話の一部である、
請求項１に記載の電子デバイス。
【請求項５】
前記第１および前記第２の部分が互いにヒンジ結合される、
請求項１に記載の電子デバイス。
【請求項６】
前記ディスプレイ部分開口部は透明タッチスクリーンを含む、
請求項１に記載の電子デバイス。
【請求項７】
前記タッチスクリーンは、表面および後面を有するとともに、前記表面および前記後面の両方でタッチ制御操作可能である、
請求項６に記載の電子デバイス。
【請求項８】
前記タッチスクリーンは、背面合わせの構造で互いに結合された第１および第２の透明タッチパッドシートを有する、
請求項７に記載の電子デバイス。
【請求項９】
前記第１および前記第２のタッチパッドシートは透明材料の挿入シートの周りにサンドイッチ状にされる、
請求項８に記載の電子デバイス。
【請求項１０】
前記透明材料の挿入シートはガラスを含む、
請求項９に記載の電子デバイス。
【請求項１１】
ディスプレイを含む上方部分と、
前記上方部分にクラムシェル構造で結合され、ディスプレイ部分開口部を含む下方部分と、を有し、
前記上方部分および前記下方部分は、開いたときに前記ディスプレイを見ることを可能にするとともに、閉じたときに前記ディスプレイ部分開口部を通して前記ディスプレイの一部のみを見ることを可能にする、
装置。
【請求項１２】
前記ディスプレイ部分開口部は透明タッチスクリーンを含む、
請求項１１に記載の装置。
【請求項１３】
前記タッチスクリーンは、表面および後面を有するとともに、前記表面および前記後面の両方でタッチ制御操作可能である、
請求項１２に記載の装置。
【請求項１４】
前記タッチスクリーンは、背面合わせの構造で互いに結合された第１および第２の透明タッチパッドシートを有する、
請求項１３に記載の装置。
【請求項１５】
前記第１および前記第２の透明タッチパッドシートは、透明材料の挿入シートの周りにサンドイッチ状にされる、
請求項１４に記載の装置。
【請求項１６】
閉じたモードにあるとき、ディスプレイ部分開口部を通じて以外は見ることができないディスプレイを有するハウジングを有する、
装置。
【請求項１７】
前記ディスプレイ部分開口部は透明タッチスクリーンを含む、
請求項１６に記載の装置。
【請求項１８】
前記タッチスクリーンは、表面および後面を有するとともに、前記表面および前記後面の両方でタッチ制御操作可能である、
請求項１７に記載の装置。
【請求項１９】
前記タッチスクリーンは、背面合わせの構造で互いに結合された第１および第２の透明タッチパッドシートを有する、
請求項１８に記載の装置。
【発明の詳細な説明】
【技術分野】
【０００１】
本発明は、概して閉じた蓋を持つ電子デバイスに関し、特にそのディスプレイが閉じた蓋を通じてアクセスされ得る装置に関する。
【図面の簡単な説明】
【０００２】
【図１】図１は、幾つかの実施形態による開いた蓋の位置における電子デバイスの斜視図である。
【図２】図２は、幾つかの実施形態による部分的に閉じた蓋の位置における図１の装置を示す。
【図３】図３は、幾つかの実施形態による閉じた蓋の位置における図１および２の装置を示す。
【図４】図４は、幾つかの実施形態による図１−３の装置に適したコンピュータシステムのブロック図である。
【図５Ａ】図５Ａは、開いた蓋のモードにおける図１−３の装置のディスプレイを示す。
【図５Ｂ】図５Ｂは、装置が閉じた蓋のモードにあるときの、図５Ａからのディスプレイを示す。
【発明を実施するための形態】
【０００３】
本発明の実施形態は、限定するものとしてではなく、例として説明され、添付の図面において、同様の参照番号は同様の要素を指す。
【０００４】
多くの電子デバイスはいわゆるクラムシェル（二枚貝）構造を使用し、デバイスは、“開いた蓋”の位置では、主ディスプレイ、およびキーパッド、タッチパッド、その他等のユーザ入力機構を露出する。他方、デバイスが“閉じた蓋”（折り畳まれた）の位置にあるとき、ディスプレイおよびユーザ入力機構は典型的には保護された、アクセスできない（見ることができない）位置にあり、デバイスはまた通常は電源が切られている。これは、例えば、多くのいわゆるノートブックおよびネットブックポータブルコンピュータ、並びに幾つかの携帯電話の設計の場合である。
【０００５】
同時に、多くのユーザにとって、迅速かつ効率的に彼らのデバイスを閉じた蓋の位置で、通常の方法で蓋を開き電源をオンにすることなしに、使用できることは便利であり得る。したがって、いくつかの現代の設計は、ユーザが、予約の情報、電子メール、インスタントメッセージ、その他等、デバイス内の情報にアクセスするために蓋を開ける必要がないように、閉じたときに通常デバイスの外側に位置した追加の（補助的な）小さいディスプレイを含む。残念ながら、このような追加的なディスプレイは、競争力を弱め得るコストを高める。さらに、これらの２次的な、閉じた蓋のディスプレイに対して、ディスプレイと協動するタッチスクリーンを設けることも望まれ得る。このタッチスクリーンはさらに多くの費用を追加する。
【０００６】
したがって、いくつかの実施形態では、デバイスが閉じた蓋の位置にあるときでさえメインディスプレイが使用され得るクラムシェル設計の電子デバイスが開示される。いくつかの実施形態では、蓋が閉じられたときにディスプレイの一部が見られ得るように、窓部（ディスプレイ部分開口）がデバイスハウジングに提供され得る。
【０００７】
いくつかの実施形態では、窓部は、閉じた蓋の動作モード中にユーザが後側のタッチパッドを使用して表示された部分と情報をやりとりすることができ、並びに、通常の、開いた蓋のモード中に表（上部）側から使用することができるように、透明材料で作られたタッチパッドを有し得る。したがって、蓋が閉じられたときに、例えば、運んでいる間、または他の完全にシステムの電源を入れることを望まないとき、ユーザはデバイスから情報を都合よく見ることができる。
【０００８】
図１−３は、閉じた蓋のモードの間にアクセス可能なディスプレイ部分を持つ電子デバイス１００（この実施形態ではノートブックコンピュータ）を示す。ポータブルコンピュータ１００は一般的に、それぞれヒンジ軸で互いに回転可能に結合された第１および第２のハウジング部分１１０、１２０から形成される。第１の部分、この実施形態では上方クラムシェル部分は、ディスプレイ１１５を含む。ディスプレイ画面１１５は、例えば、液晶ディスプレイ（ＬＣＤ）、陰極線管（ＣＲＴ）、プラズマディスプレイ、表面伝導型電子放出素子ディスプレイ（ＳＥＤ）、有機発光ダイオード（ＯＬＥＤ）等、１つまたは複数のすぐに利用できるディスプレイ技術から選択され得る。もちろん、代替のディスプレイ技術および／または後に開発されたディスプレイ技術も使用され得る。
【０００９】
いくつかの製造者は近年ＯＬＥＤ材料を使用している。ＯＬＥＤは、Ｎ．Ｙ．  ＲｏｃｈｅｓｔｅｒのＥａｓｔｍａｎ  Ｋｏｄａｋ  Ｃｏｍｐａｎｙによって開発された技術である。それらは、電流によって励起されると光を放出する薄いフィルム材料である。ＯＬＥＤは異なる色の光を放出するので、それらは独立したバックライト源の必要なしにディスプレイを作るために使用され得る。ＯＬＥＤディスプレイは通常軽量であるとともに、比較的低電圧で効率的に動作することができ、したがってシステムからより少ない電力を消費する。いくつかの実施形態に関して、ディスプレイ１１５は、ＯＬＥＤディスプレイからまたは個々に制御可能な輝度を有する画素（ピクセル）を含むディスプレイから形成され得る。
【００１０】
第２の部分１２０、この実施形態では下方クラムシェル部分は、この実施形態では透明な両面タッチパッド１２２で塞がった、閉じた蓋ディスプレイ開口部を含む。図２および３に見られるように、下方部分はまた、閉じた蓋モードにおいてデバイスを制御するおよび／または起動するための１つまたは複数の入力制御キー（またはボタン）１２４も含み得る。下方部分１２０の物理的設計はディスプレイ部分開口部を包含する。このディスプレイ部分開口部は略タッチパッド１２２のサイズであり得る。図示された実施形態では、開口部は略１００ｍｍ×８０ｍｍであるが、閉じた蓋のモード中にディスプレイ部分を見るための開口部は、特定の設計の検討に応じて任意の適切な形状またはサイズであり得る。
【００１１】
いくつかの実施形態では、タッチパッドは両方の面でタッチ制御を可能にする両面である。蓋が開いているとともにユーザがディスプレイの前にいるとき、タッチパッドの上面はコンピュータとのやりとりのために使用され得る。他方、蓋が閉じられているとき、ユーザは、透明タッチパッドを通じてアクセス可能なディスプレイの部分と情報をやりとりするために、タッチパッドの後（または下）面を使用し得る。
【００１２】
タッチパッド（またはタッチスクリーン）は、両面のとき、両側でのタッチ制御を可能にする任意の適切な透明タッチパッド技術で実施され得る。例えば、第１および第２の透明タッチパッドシートは、接触感知側が両面の外側を向くように、互いに背面で結合され得る。それらは、タッチパッドシートの間に挟まれたガラスまたはプラスチック等の透明材料のシートを含み得る。タッチスクリーンのいずれかまたは両方の面には、タッチスクリーン内のある場所での触圧（例えば、スタイラス、指、その他をしようしてタッチスクリーンの特定の部分を触れること）に応答して入出力（Ｉ／Ｏ）信号を発生するように構成され得る。あるいは、タッチスクリーンは、接触応答表面を有する透明な（ガラスまたはプラスチック）パネルを有し得る。タッチスクリーンは、例えば、感圧式（抵抗膜方式）、感音響式（表面波方式）、感光式（赤外線方式）、および感電気式（例えば、静電容量方式）タッチスクリーン等、複数のすぐに利用できるタッチスクリーン技術の中から選択され得る。
【００１３】
実施形態は透明な両面タッチスクリーンを有するディスプレイ開口部とともに記載されているが、他の実施形態も利用され得ることに留意されたい。いくつかの実施形態では、一方の面のみ接触制御を備えるタッチスクリーンが使用され得る、またはタッチスクリーンは完全に取り除かれ得る。例えば、開口部は空であり得るまたは開口部を覆うとともにほこりを締め出すための透明な材料（例えば、プラスチック）を含み得る。代替的に、プラスチックまたはガラスレンズが開口部を覆い得る。他の実施形態では、プラスチックのプライバシーフィルタが、斜めから見られたときにディスプレイが暗く見えるように、開口部を覆い得る。別の実施形態では、不透明なスライドカバーが開口部を保護するために使用されることができ、プライバシーおよびスクラッチまたは損傷に対する物理的な保護の両方を提供する。
【００１４】
図４は本発明の実施形態にしたがって使用され得るコンピュータシステムの例を示すブロック図である。コンピュータシステムは、中央処理装置（ＣＰＵ）またはプロセッサ４０２を含み得るとともに、コンセントまたはバッテリから電力を受け取り得る。ＣＰＵ４０２はリンク４０５を介してチップセット４１０に結合され得る。ＣＰＵ４０２は例えば、Ｃａｌｉｆ．  Ｓａｎｔａ  ＣｌａｒａのＩｎｔｅｌ  Ｃｏｒｐｏｒａｔｉｏｎによって製造され得るが、他の会社によっても製造され得る。リンク４０５は一般に、複数の並列レーンおよび／または１つまたは複数のバスを有する１つまたは複数の二点間リンク等、任意の通信リンクを示す。
【００１５】
チップセット４１０はメモリコントローラ４１２を含み得る。メモリコントローラ４１２は、システムメモリ４２０（例えば、ランダムアクセスメモリ（ＲＡＭ）、リードオンリメモリ（ＲＯＭ）、その他）に結合され得る。システムメモリ４２０は、データ、ＣＰＵ４０２またはコンピュータシステムに含まれた他の処理装置によって実行される一連の命令を格納し得る。例えば、ＣＰＵ４０２に加えて、コンピュータシステムは二次ＣＰＵまたはコントローラ（図字せず）を含み得る。
【００１６】
チップセット４１０はディスプレイコントローラ４１３を含み得る。ディスプレイ１１５はディスプレイコントローラ４１３に結合され得る。ディスプレイコントローラ４１３は、グラフィック処理装置（ＧＰＸ）の一部から分離し得るまたはグラフィック処理装置に実装され得る。以下にさらに述べるように、ディスプレイコントローラ４１３はディスプレイ１１５を制御し、特に、いくつかの異なる動作モードに対して異なって制御し得る。いくつかの実施形態では、蓋が閉じられているときより少ない電力を消費するように、そしてディスプレイ部分開口部を通じて見ることが出来るディスプレイ１１５の一部に表示を制限するように制御し得る。
【００１７】
チップセット４１０はまた、タッチパッド１２２に結合されたタッチパッドコントローラ４１４も含み得る。タッチパッドコントローラ４１４は、入出力（Ｉ／Ｏ）制御部から分離しているまたは入出力制御部の一部であり得るとともに、例えば、スクリーンの一方または両方の面のタッチスクリーン１２２への接触刺激を解釈するとともに解釈された入力刺激に基づいてコンピュータを制御する働きをする。コンピュータシステムは、チップセットおよび／またはＣＰＵにも結合され得るオーディオ装置およびディスクドライブを含む他の周辺入出力装置を含み得る。
【００１８】
無線通信のために、アンテナ（図示せず）もまた無線インターフェースに結合され得る。この無線インターフェースもチップセットの一部であり得る。図示されていないが、他のデバイス（例えば、キーボード、マウス、その他）もチップセットに接続され得る。コンピュータシステムは、例えば、バッテリ等、直流（ＤＣ）電源を使用し得る。代替的に、コンピュータシステムは、例えば、電気コネクタに接続することによって、交流（ＡＣ）電源を使用し得る。コンピュータシステムは、通常の電力モードにあるときに最大の電力を消費し得る。ＤＣ電源が使用されるときに重要であり得る、低電力モード（例えば、サスペンドまたはスタンバイモード）、または閉じた蓋のディスプレイモードにあるとき、コンピュータシステムはより少ない電力を消費する。
【００１９】
便宜のために、分離したＣＰＵおよびチップセットブロックが示されていることを認識すべきである。しかし、実際の実装では、ＣＰＵおよびチップセットの機能は、単一のチップ（ＳＯＣ実装を用いて等）またはいくつかのチップで実装され得るとともに、異なる機能は、別々の機能ブロックによってまたはＣＰＵおよびチップセット機能ユニットのどちらかまたは両方の中のほかのブロックと協動して完全に実行され得る。例えば、いくつかの実装では、メモリおよび／またはディスプレイがＣＰＵに直接結合され得る。ＣＰＵおよびチップセットは、図示されたブロックまたは他の図示されないブロックとの通信のための様々な追加のポートおよび／またはリンクを含み得る。
【００２０】
図５Ａおよび５Ｂを参照すると、全表示および部分表示、閉じた蓋の、モードが示される。図５Ａはコンピュータが全表示領域５０５モードにあることを示す一方、図５Ｂは、ディスプレイが、低下した電力の、閉じた蓋のモードのための、部分的な表示領域５１０のみであることを示す。
【００２１】
いくつかの実施形態では、閉じた蓋のモード中、ディスプレイ１１５の一部のみがオンにされる（例えば、ＯＬＥＤ技術に対して等）またはバックライトで照らされる（ＬＥＤまたはＬＣＤの実装に対して等）。
【００２２】
縮小された表示エリア５１０は、蓋が閉じられたときにディスプレイ部分開口部を通した表示に適応させるべきであるが、縮小された表示エリア５１０は、任意の適切な形状、サイズおよび実装であり得る。例えば、ディスプレイ１１５は、個別に制御され得る輝度を持つピクセルを有し得る。ある実施形態に対して、ディスプレイコントローラ４１３は、蓋が閉じられたときに情報を表示することを表示領域５１０内のみに制限するためのロジックを含み得る。情報（または表示内容）は、異なる技術を用いてより小さい表示領域に適合するように制限されるまたは縮められ得る。ある実施形態に対して、表示内容は、分数を掛けるとともに如何なる小数値も切捨てることによってピクセルを変換するディスプレイコントローラ４１３内の拡大縮小ロジックを通され得る。例えば、ディスプレイコントローラ４１３が表示領域をフルサイズからフルサイズの１６分の１のサイズに縮小するとき、行と列はそれぞれ０．２５を乗じられるとともに行と列の場所は縮小されたサイズのアクセス領域内の適切な行と列に移動され得る。
【００２３】
他の実施形態に対して、変換は、表示内容が可読性をほとんど損なうことなく縮小され得るように、例えば、ビデオドライバおよびオペレーティングシステム（ＯＳ）を用いてソフトウェア内で実行され得る。例えば、ＯＳは、アイコン、ツールバー、その他についての多くの画像の詳細がスペースを節約するために除去され得る「シンプル」モードを有し得る。ＯＳは、携帯電話、携帯情報端末（ＰＤＡ）、その他で典型的に使用されるようなより小さい表示領域に適応させるように切り替えられ得る完全に新しいユーザインターフェースモードを有し得る。ディスプレイコントローラ４１３とディスプレイ１１５との間のインタフェースプロトコル（例えば、低電圧差動信号（ＬＶＤＳ）インターフェース）もまた、このようなモードをサポートするように拡張され得る。例えば、ディスプレイコントローラ４１３は、スクリーンの一部分のためのデータのみを送信し得るとともに残りの領域を黒（ピクセルがオフにされる）で満たし得る。電力は、多くの黒のピクセルを送る必要がないことによってもインターフェースで節約され得る。新しいインターフェースは、データがピクセルに対して送られない限り、デフォルトで全てのピクセルを黒にし得る。
【００２４】
表示領域５１０に関連するピクセルは、発光するまたはオンにされるように構成され得るとともに、残りの領域に関連するピクセルは、発光しないまたはオフにされるように構成され得る。
【００２５】
典型的な実施形態では、ディスプレイ部分５１０の画像は通常の向きに表示され得る。他の実施形態では、コンピュータの背面からディスプレイ部分開口部を通して見る間ユーザがディスプレイを逆さまにしたときに、上下関係が正しく適切に方向付けられるように、画像は、画像をひっくり返すために標準的なソフトウェアアルゴリズムを使用してディスプレイ上で逆さまに表示され得る。他の実施形態では、画像は、標準的なソフトウェアアルゴリズムを使用してＬＣＤ上で時計回り／反時計回りに回転され得る。いくつかの実施形態では、センサスイッチが、蓋が閉じられているかどうかを示すとともに、警報が表示されるモードに影響を与える。
【００２６】
いくつかの実施形態では、インジケータ（例えば、ＬＥＤ）が、例えば、メッセージを見ることができるとき、ユーザに警報を出すためにパネル１２４の一部であり得る。いくつかの実施形態では、１つまたは複数のボタンは、閉じた蓋のモードにおいてユーザがメッセージを見ることおよび／またはメッセージを移動することを可能にする。いくつかの実施形態では、蓋が開いているときおよび閉じているときの両方で簡単に聞こえ得るように、スピーカがコンピュータの１つまたは複数の端に配置され得る。
【００２７】
前述の説明では、多くの具体的な詳細が説明されている。しかし、本発明の実施形態はこれらの具体的な詳細なしに実施され得ることが理解される。他の例では、周知の回路、構造、技術は説明の理解をあいまいにしないように、詳細に示されていない場合もある。このことを踏まえ、「１つの実施形態」、「ある実施形態」、「例示の実施形態」、「様々な実施形態」、その他は、そのように記載された本発明の実施形態が特定の特徴、構造、または性質を含み得るが、全ての実施形態が必ずしも特定の特徴、構造、または性質を含むとは限らないことを示す。さらに、いくつかの実施形態は、他の実施形態に対して記載された、いくつかの特徴または全ての特徴を有し得る、または特徴を有さない。
【００２８】
例えば、クラムシェルタイプのヒンジ結合されたデバイスが主に説明されているが、他の構造が本発明の態様を組み込み得る。例えば、ディスプレイ部分開口部はスライド可能な第１および第２の部分を持つ携帯電話に組み込まれることができ、部分がスライドして離れたとき開いた蓋のモードが生じるとともに部分が閉じた位置に互いにスライドしたとき閉じた蓋のモードが生じ得る。
【００２９】
前述の説明および以下の特許請求の範囲において、以下の用語は以下のように解釈されるべきである。「結合される」および「接続される」、並びにこれらの派生語が使用され得る。これらの用語は互いに同義語となることが意図されていないことを理解すべきである。むしろ、特定の実施形態では、「接続される」は２つ以上の要素が互いに協動または相互作用するが、物理的または電気的に直接接触するまたはしないことを示すために使用される。
【００３０】
いくつかの図面では、信号線は線で示されることも認識すべきである。より多くの要素のある信号経路を示すために太い線であるもの、要素信号経路の数を示すために参照番号を持つもの、および／または主要な情報の流れの方向を示すために１つまたは複数の端に矢印を持つものがあり得る。しかし、これは、限定する方法で解釈されるべきではない。むしと、このような追加的な詳細は、回路のより容易な理解を促進するために、１つまたは複数の例示的な実施形態に関連して使用され得る。如何なる図示された信号線も、追加的な情報を有するか否かを問わず、実際、複数の方向に移動し得る１つまたは複数の信号を含むことができ、例えば、互いに異なるペアで実装されるデジタルまたはアナログライン、光ファイバライン、および／またはシングルエンドライン等、任意の適切な種類の信号スキームで実装され得る。
【００３１】
例示のサイズ／モデル／値／範囲が与えられているが、本発明が同じものに限定されないことを理解されたい。製造技術（例えばフォトリソグラフィ法）が時間とともに成熟するので、より小さいサイズのデバイスが製造され得ることが予想される。加えて、ＩＣチップおよびその他のコンポーネントへの周知の電力／グランド接続は、図面および説明の簡略化のため、および本発明を曖昧にしないように、図示されている場合も図示されていない場合もある。さらに、本発明を曖昧にすることを避けるために、および、ブロック図の配置の実装に関する詳細は本発明を実装するプラットフォームに高く依存する、すなわち、このような詳細は当業者にとっては周知の範囲内であろうという理由から、配置がブロック図の形態で示されない場合もある。本発明の例示的な実施形態を記載するために、特定の詳細（例えば回路）を説明しているが、これら特定の詳細を利用しなくても本発明を実施することができ、またはこれら特定の詳細の変形を用いて本発明が実施され得ることは当業者には明らかである。したがって、記載は、限定するものである代わりに、例示とみなされるべきである。
【図１】
2013524320.tif 000003
【図２】
2013524320.tif 000004
【図３】
2013524320.tif 000005
【図４】
2013524320.tif 000006
【図５Ａ】
2013524320.tif 000007
【図５Ｂ】
2013524320.tif 000008
【国際調査報告】
2013524320.tif 000009
2013524320.tif 000010